【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
バイオポリマー材料でできた玩具組立要素、ただし、
前記玩具組立要素はバイオベースポリマー及び／又はハイブリッド型バイオベースポリマー及び／又はリサイクルされたポリマーを含む樹脂の加工によって製造され、
前記樹脂中の総炭素含有率当たりのバイオベース炭素の含有率は、少なくとも５０％であり、
前記玩具組立要素は、ＬＥＧＯ（商標）サイズである。
【請求項２】
前記玩具組立要素は、バイオベースポリマー及び／又はハイブリッド型バイオベースポリマー及び／又はリサイクルされたポリマーを含む前記樹脂の射出成形及び／又は付加製造によって製造される、請求項１に記載の玩具組立要素。
【請求項３】
前記バイオベースポリマーは、ポリ乳酸（ＰＬＡ）、ポリエチレン（ＰＥ）、ポリプロピレン（ＰＰ）、ポリグリコール酸（ＰＧＡ）、ポリ（ラクチド−ｃｏ−グリコリド）（ＰＬＧＡ）、ポリブチレンサクシネート（ＰＢＳ）、ポリトリメチレンフランジカルボキシレート（ＰＴＦ）、ポリヒドロキシブチレート（ＰＨＢ）、ポリヒドロキシバレレート（ＰＨＶ）、ポリ（ヒドロキシブチレート−ヒドロキシバレレート）（ＰＨＢＶ）、ポリアミド（ＰＡ）、ポリエステルアミド（ＰＥＡ）、ポリエチレンフラノエート（ＰＥＦ）、ポリブチレンフラノエート（ＰＢＦ）、ポリエチレンテレフタレート（ＰＥＴ）、グリコール変性ポリエチレンテレフタレート（ＰＥＴＧ）、ポリエチレンテレフタレート−イソフタル酸コポリマー（ＰＥＴ−ＩＰＡ）、ポリエチレンテレフタレートナフタレン（ＰＥＴＮ）、ポリブチレンテレフタレート（ＰＢＴ）、ポリトリメチレンテレフタレート（ＰＴＴ）、熱可塑性ポリウレタン（ＴＰＵ）、酢酸セルロース（ＣＡ）、熱可塑性デンプン（ＴＰＳ）、ジフェニルイソソルビド、ポリ酢酸ビニル（ＰＶＡ）及びポリメチルメタクリレート（ＰＭＭＡ）からなる群から選択される、請求項１又は２に記載の玩具組立要素。
【請求項４】
前記ハイブリッド型バイオベースポリマーは、ポリ（ラクチド−ｃｏ−グリコリド）（ＰＬＧＡ）、ポリブチレンサクシネート（ＰＢＳ）、ポリトリメチレンフランジカルボキシレート（ＰＴＦ）、ポリアミド（ＰＡ）、ポリエステルアミド（ＰＥＡ）、ポリエチレンフラノエート（ＰＥＦ）、ポリブチレンフラノエート（ＰＢＦ）、ポリエチレンテレフタレート（ＰＥＴ）、ポリブチレンテレフタレート（ＰＢＴ）、ポリトリメチレンテレフタレート（ＰＴＴ）、熱可塑性ポリウレタン（ＴＰＵ）、ジフェニルイソソルビド、アクリロニトリルブタジエンスチレン（ＡＢＳ）、グリコール変性ポリエチレンテレフタレート（ＰＥＴＧ）、ポリエチレンテレフタレート−イソフタル酸コポリマー（ＰＥＴ−ＩＰＡ）、ポリエチレンテレフタレートナフタレン（ＰＥＴＮ）、ポリブチレートアジペートテレフタレート（ＰＢＡＴ）及びスチレン−エチレン−ブチレン−エチレン（ＳＥＢＳ）からなる群から選択される、請求項１又は２に記載の玩具組立要素。
【請求項５】
前記リサイクルされたポリマーは、ポリ乳酸（ＰＬＡ）、ポリエチレン（ＰＥ）、ポリプロピレン（ＰＰ）、ポリグリコール酸（ＰＧＡ）、ポリ（ラクチド−ｃｏ−グリコリド）（ＰＬＧＡ）、ポリブチレンサクシネート（ＰＢＳ）、ポリトリメチレンフランジカルボキシレート（ＰＴＦ）、ポリヒドロキシブチレート（ＰＨＢ）、ポリヒドロキシバレレート（ＰＨＶ）、ポリ（ヒドロキシブチレート−ヒドロキシバレレート）（ＰＨＢＶ）、ポリアミド（ＰＡ）、ポリエステルアミド（ＰＥＡ）、ポリエチレンフラノエート（ＰＥＦ）、ポリブチレンフラノエート（ＰＢＦ）、ポリトリメチレンフラノエート（ＰＴＦ）、ポリエチレンテレフタレート（ＰＥＴ）、グリコール変性ポリエチレンテレフタレート（ＰＥＴＧ）、ポリエチレンテレフタレート−イソフタル酸コポリマー（ＰＥＴ−ＩＰＡ）、ポリエチレンテレフタレートナフタレン（ＰＥＴＮ）、ポリブチレンテレフタレート（ＰＢＴ）、ポリトリメチレンテレフタレート（ＰＴＴ）、熱可塑性ポリウレタン（ＴＰＵ）、変性熱可塑性オレフィン（ｍＴＰＯ）、酢酸セルロース（ＣＡ）、熱可塑性デンプン（ＴＰＳ）、ジフェニルイソソルビド、ポリ酢酸ビニル（ＰＶＡ）、ポリメチルメタクリレート（ＰＭＭＡ）、アクリロニトリルブタジエンスチレン（ＡＢＳ）、ポリブチレートアジペートテレフタレート（ＰＢＡＴ）、スチレン−エチレン−ブチレン−エチレン（ＳＥＢＳ）、ポリカーボネート（ＰＣ）、ポリオキシメチレン（ＰＯＭ）及びポリケトン（ＰＫ）からなる群から選択される、請求項１又は２に記載の玩具組立要素。
【請求項６】
前記樹脂中のバイオベースポリマーの量は、該樹脂の総重量を基準に少なくとも２５％（重量／重量）である、請求項１〜５のいずれか一項に記載の玩具組立要素。
【請求項７】
前記樹脂中のハイブリッド型バイオベースポリマーの量は、該樹脂の総重量を基準に少なくとも２５％（重量／重量）である、請求項１〜６のいずれか一項に記載の玩具組立要素。
【請求項８】
前記樹脂中のリサイクルされたポリマーの量は、該樹脂の総重量を基準に少なくとも２５％（重量／重量）である、請求項１〜７のいずれか一項に記載の玩具組立要素。
【請求項９】
前記樹脂中の総炭素含有率当たりのバイオベース炭素の含有率は、少なくとも６０％、例えば少なくとも７０％、好ましくは少なくとも８０％、より好ましくは少なくとも９０％である、請求項１〜８のいずれか一項に記載の玩具組立要素。
【請求項１０】
前記バイオポリマー材料の弾性率は、ＩＳＯ  ５２７に従って測定した場合に、少なくとも１５００ＭＰａ、好ましくは少なくとも２０００ＭＰａである、請求項１〜９のいずれか一項に記載の玩具組立要素。
【請求項１１】
ａ）少なくとも１種のバイオベースポリマー及び／又は少なくとも１種のハイブリッド型バイオベースポリマー及び／又はリサイクルされたポリマーを含む樹脂を準備する工程、ただし前記樹脂中の総炭素含有率当たりのバイオベース炭素の含有率は、少なくとも５０％である、と、
ｂ）前記樹脂を加工する工程と、
を含む、ＬＥＧＯ（商標）サイズである玩具組立要素を製造する方法。
【請求項１２】
前記バイオベースポリマーは、ポリ乳酸（ＰＬＡ）、ポリエチレン（ＰＥ）、ポリプロピレン（ＰＰ）、ポリグリコール酸（ＰＧＡ）、ポリ（ラクチド−ｃｏ−グリコリド）（ＰＬＧＡ）、ポリブチレンサクシネート（ＰＢＳ）、ポリトリメチレンフランジカルボキシレート（ＰＴＦ）、ポリヒドロキシブチレート（ＰＨＢ）、ポリヒドロキシバレレート（ＰＨＶ）、ポリ（ヒドロキシブチレート−ヒドロキシバレレート）（ＰＨＢＶ）、ポリアミド（ＰＡ）、ポリエステルアミド（ＰＥＡ）、ポリエチレンフラノエート（ＰＥＦ）、ポリブチレンフラノエート（ＰＢＦ）、ポリエチレンテレフタレート（ＰＥＴ）、グリコール変性ポリエチレンテレフタレート（ＰＥＴＧ）、ポリエチレンテレフタレート−イソフタル酸コポリマー（ＰＥＴ−ＩＰＡ）、ポリエチレンテレフタレートナフタレン（ＰＥＴＮ）、ポリブチレンテレフタレート（ＰＢＴ）、ポリトリメチレンテレフタレート（ＰＴＴ）、熱可塑性ポリウレタン（ＴＰＵ）、酢酸セルロース（ＣＡ）、熱可塑性デンプン（ＴＰＳ）、ジフェニルイソソルビド、ポリ酢酸ビニル（ＰＶＡ）及びポリメチルメタクリレート（ＰＭＭＡ）からなる群から選択される、請求項１１に記載の方法。
【請求項１３】
前記樹脂中のバイオベースポリマーの量は、該樹脂の総重量を基準に少なくとも２５％（重量／重量）である、請求項１１又は１２に記載の方法。
【請求項１４】
前記ハイブリッド型バイオベースポリマーは、ポリ（ラクチド−ｃｏ−グリコリド）（ＰＬＧＡ）、ポリブチレンサクシネート（ＰＢＳ）、ポリトリメチレンフランジカルボキシレート（ＰＴＦ）、ポリアミド（ＰＡ）、ポリエステルアミド（ＰＥＡ）、ポリエチレンフラノエート（ＰＥＦ）、ポリブチレンフラノエート（ＰＢＦ）、ポリエチレンテレフタレート（ＰＥＴ）、ポリブチレンテレフタレート（ＰＢＴ）、ポリトリメチレンテレフタレート（ＰＴＴ）、熱可塑性ポリウレタン（ＴＰＵ）、ジフェニルイソソルビド、アクリロニトリルブタジエンスチレン（ＡＢＳ）、グリコール変性ポリエチレンテレフタレート（ＰＥＴＧ）、ポリエチレンテレフタレート−イソフタル酸コポリマー（ＰＥＴ−ＩＰＡ）、ポリエチレンテレフタレートナフタレン（ＰＥＴＮ）、ポリブチレートアジペートテレフタレート（ＰＢＡＴ）、熱可塑性ポリウレタン（ＴＰＵ）及びスチレン−エチレン−ブチレン−エチレン（ＳＥＢＳ）からなる群から選択される、請求項１１〜１３のいずれか一項に記載の方法。
【請求項１５】
前記樹脂中のハイブリッド型バイオベースポリマーの量は、該樹脂の総重量を基準に少なくとも２５％（重量／重量）である、請求項１１〜１４のいずれか一項に記載の方法。
【請求項１６】
前記リサイクルされたポリマーは、ポリ乳酸（ＰＬＡ）、ポリエチレン（ＰＥ）、ポリプロピレン（ＰＰ）、ポリグリコール酸（ＰＧＡ）、ポリ（ラクチド−ｃｏ−グリコリド）（ＰＬＧＡ）、ポリブチレンサクシネート（ＰＢＳ）、ポリトリメチレンフランジカルボキシレート（ＰＴＦ）、ポリヒドロキシブチレート（ＰＨＢ）、ポリヒドロキシバレレート（ＰＨＶ）、ポリ（ヒドロキシブチレート−ヒドロキシバレレート）（ＰＨＢＶ）、ポリアミド（ＰＡ）、ポリエステルアミド（ＰＥＡ）、ポリエチレンフラノエート（ＰＥＦ）、ポリブチレンフラノエート（ＰＢＦ）、ポリトリメチレンフラノエート（ＰＴＦ）、ポリエチレンテレフタレート（ＰＥＴ）、グリコール変性ポリエチレンテレフタレート（ＰＥＴＧ）、ポリエチレンテレフタレート−イソフタル酸コポリマー（ＰＥＴ−ＩＰＡ）、ポリエチレンテレフタレートナフタレン（ＰＥＴＮ）、ポリブチレンテレフタレート（ＰＢＴ）、ポリトリメチレンテレフタレート（ＰＴＴ）、熱可塑性ポリウレタン（ＴＰＵ）、変性熱可塑性オレフィン（ｍＴＰＯ）、酢酸セルロース（ＣＡ）、熱可塑性デンプン（ＴＰＳ）、ジフェニルイソソルビド、ポリ酢酸ビニル（ＰＶＡ）、ポリメチルメタクリレート（ＰＭＭＡ）、アクリロニトリルブタジエンスチレン（ＡＢＳ）、ポリブチレートアジペートテレフタレート（ＰＢＡＴ）、スチレン−エチレン−ブチレン−エチレン（ＳＥＢＳ）、ポリカーボネート（ＰＣ）、ポリオキシメチレン（ＰＯＭ）及びポリケトン（ＰＫ）からなる群から選択される、請求項１１〜１５のいずれか一項に記載の方法。
【請求項１７】
前記樹脂中のリサイクルされたポリマーの量は、該樹脂の総重量を基準に少なくとも２５％（重量／重量）である、請求項１１〜１６のいずれか一項に記載の方法。
【請求項１８】
前記玩具組立要素は、少なくとも１種のバイオベースポリマー及び／又は少なくとも１種のハイブリッド型バイオベースポリマー及び／又はリサイクルされたポリマーを含む樹脂の射出成形及び／又は付加製造によって製造される、請求項１１〜１７のいずれか一項に記載の方法。